(57)【要約】【課題】潤滑剤が順調に通過でき、転がり素子も順調に転がり循環することができる転がり素子保持具を提供すること。【解決手段】転がり素子を離間するための離間体４２と、離間体４２を一体に連結するための連接バンド４１を含み、多数の転がり素子を保持する転がり素子保持具４０である。連接バンド４１は離間体４２を環状構造に連接し、環状構造をひっくり返して、対応する離間体４２をそれぞれ結合させた際に、結合した離間体４２と連接バンド４１との間には、転がり素子を保持するための保持空間４４が形成される。【選択図】図１
2005147166.tif 000002
【特許請求の範囲】
【請求項１】
転がり素子を離間するための離間体と、前記離間体を一体に連結するための連接バンドを含み、多数の転がり素子を保持する転がり素子保持具において、
前記連接バンドは前記離間体を環状構造に連接し、前記環状構造をひっくり返して対応する離間体をそれぞれ結合させた際に、結合した離間体と連接バンドとの間には、前記転がり素子を保持するための保持空間が形成されることを特徴とする、
転がり素子保持具。
【請求項２】
転がり素子保持具の両端に配設される転がり素子を転がり素子保持具内に保持するように、前記環状構造をひっくり返して結合させた後に、端部が別々に両端に形成されることを特徴とする、
請求項１記載の転がり素子保持具。
【請求項３】
前記環状構造をひっくり返して結合させた後は一円弧が形成され、前記円弧の曲率半径は前記転がり素子の回流の曲率半径より大径であることを特徴とする、  請求項１記載の転がり素子保持具。
【請求項４】
前記離間体を合わせた後は大きさが変化できる一貫通孔が形成され、潤滑剤が前記貫通孔を通過可能としたことを特徴とする、
請求項１記載の転がり素子保持具。
【請求項５】
前記離間体は、互いに係合することによって一体化することを特徴とする、
請求項１乃至４のいずれかに記載の転がり素子保持具。
【発明の詳細な説明】
【技術分野】
【０００１】
本発明は転がり素子保持具に係り、特に工作機械、電子、自動化設備及び半導体設備などに応用されるリニア伝動装置に適用される転がり素子保持具に関するものである。
【背景技術】
【０００２】
従来のリニア伝動装置における転がり素子の保持具は、単保持具と、多数の単保持具を連接して構成される連結保持具との二種類に分けられる。
図４に示すのは、軌条と嵌合し移動自在なスライダ１０である。前記スライダ１０内には多数の転がり玉２０が配設してあり、前記転がり玉２０が互いに衝突しないように、前記転がり玉２０の間には単保持器３０が配設される。
【０００３】
図５に示すのは、多数の単保持器を連接して構成される連結保持器３１である。前記連結保持器３１は、撓み性を有する連結チェーン３１２によって離間ブロック３１１を連結して構成されるものであり、各転がり玉２０が二離間ブロック３１１の間で転がる。
【発明の開示】
【発明が解決しようとする課題】
【０００４】
前記した従来の転がり素子保持具にあっては、次のような問題点がある。
＜１＞従来のリニア伝動装置の組立て方法は、転がり玉２０と単保持器３０とを、スライダ１０内に交互に入れるので、手数が極めて面倒である。また、前記転がり玉２０と単保持器３０との接触緊密度は、緩めの場合には、単保持器３０が二転がり玉２０から離脱して循環通路を塞ぐことがよくあるが、緊密すぎる場合には、摩擦抵抗が著しく上昇する。
＜２＞従来の連結保持器３１の作製方法は、まず、転がり玉を金型内に入れた後、樹脂射出成形をする。この作製方法では、素材及び射出成形機械に対する要求が厳しいので、製造コストが高くなり、また、転がり玉２０と離間ブロック３１１とは緊密に接触するため、転がり玉の摩擦抵抗が高くなる。
【課題を解決するための手段】
【０００５】
上記のような課題を解決するために、本発明の転がり素子保持具は、転がり素子を離間するための離間体と、前記離間体を一体に連結するための連接バンドを含み、多数の転がり素子を保持する転がり素子保持具において、前記連接バンドは前記離間体を環状構造に連接し、前記環状構造をひっくり返して、対応する離間体をそれぞれ結合させた際に、結合した離間体と連接バンドとの間には、前記転がり素子を保持するための保持空間が形成されることを特徴とする、転がり素子保持具である。
【０００６】
また、前記転がり素子保持具は、転がり素子保持具の両端に配設される転がり素子を転がり素子保持具内に保持するように、前記環状構造をひっくり返して結合させた後に、端部が別々に両端に形成されることを特徴とする、転がり素子保持具である。
【０００７】
また、前記転がり素子保持具は、前記環状構造をひっくり返して結合させた後は一円弧が形成され、前記円弧の曲率半径は前記転がり素子の回流の曲率半径より大径であることを特徴とする、転がり素子保持具である。
【０００８】
また、前記転がり素子保持具は、前記離間体を合わせた後は大きさが変化できる一貫通孔が形成され、潤滑剤が前記貫通孔を通過可能としたことを特徴とする、転がり素子保持具である。
【０００９】
さらに、前記転がり素子保持具において、前記離間体は、互いに係合することによって一体化することを特徴とする、転がり素子保持具である。
【発明の効果】
【００１０】
本発明の転がり素子保持具は、上記した課題を解決するための手段により、次のような効果を得ることができる。
＜１＞摩擦抵抗を低減することができるので、転がり素子も順調に転がり循環することができる。
＜２＞潤滑剤が順調に通過できるので、潤滑効果が向上する。
【発明を実施するための最良の形態】
【００１１】
現在、リニア伝動装置が産業機械及び精密機械に広汎に応用され、且つ転がり素子保持装置のリニア伝動装置への応用もどんどん重視されており、特に連結タイプの転がり素子保持装置がもっとも重視されている。
【００１２】
本発明に係る転がり素子保持具は、連結タイプの転がり素子保持装置であり、転がり素子の保持装置は射出成形によって環状構造に形成し、具体的に説明すると、転がり素子を離間するための離間体が連接バンドで連接され環状構造になり、また、前記環状構造をひっくり返して、対応する離間体をそれぞれ結合させた際に、結合した離間体と連接バンドとの間には、前記転がり素子を保持するための保持空間が形成され、そうすると、転がり素子は前記保持空間中に転がることができる。だから、転がり素子と転がり素子保持具との間の空間を弾性的に調整できるので、転がり素子と転がり素子保持具との間に発生する摩擦抵抗が大幅に低減でき、且つ本発明に係る転がり素子保持具は、特殊な射出成形方法によって作製することが必要なく、普通の射出成形方法によって作製できるので、製造コストを大幅に低減することができる。
【００１３】
以下、添付図面を参照して本発明の好適な実施の形態を詳細に説明する。
図１は本発明に係る転がり素子保持具の環状構造を示す概略図である。該当転がり素子保持具４０における転がり素子（図示省略）としては転がり玉を採用し、前記転がり素子保持具４０は、前記連接バンド４１によって前記離間体４２を環状構造に連接し、また、転がり素子保持具４０の両端に配設される転がり素子を転がり素子保持具４０内に保持するために、前記連接バンド４１には端部４３が設けてある。また、転がり素子保持具４０への転がり素子の組立方法を説明する。図中の矢印に示す方向に前記環状構造をひっくり返すときに、転がり素子を順に装入することにより、転がり素子保持具４０の組立作業が終了する。
【００１４】
図２は図１における環状構造の一部の拡大図である。図２から明らかなように、連接バンド４１で連接された離間体４２には、係合部４２１と溝４２２とが別々に設けてあるので、離間体４２を合わせた後には、潤滑剤が離間体４２を通過でき、且つ前記離間体４２にも、転がり素子と合うための受け部４２３が設けてあるので、前記離間体４２は、転がり素子を適当に離間し、且つ転がり素子を離脱しないようにする効果がある。
【００１５】
図３は図１における環状構造をひっくり返して結合した状態を示す概略図である。図３から明らかなように、連接バンド４１と離間体４２とから構成される環状構造を、端部４３を中心としてひっくり返した後、転がり素子保持具４０の両端に位置する前記端部４３が、転がり素子保持具４０の両端に配設される転がり素子を転がり素子保持具４０中に保持する。二離間体４２を合わせて形成される貫通孔４２４に潤滑剤が通過できるので、転がり素子保持具４０が良好な潤滑効果を有する。且つ合わせた離間体４２と、連接バンド４１とから形成される保持空間４４中に、転がり素子は順調に転がることができる。また、ひっくり返して結合した環状構造は一円弧に形成され、転がり素子保持具４０が順調に循環できるために、前記円弧の曲率半径は前記転がり素子の回流の曲率半径より大径とする。また、係合部４２１によって結合した離間体４２に形成される貫通孔４２４は、隣接する転がり素子の押圧によって大きくなり、転がり素子保持具４０の運行によって小さくなることができるので、潤滑剤が前記貫通孔４２４を順調に通過できるため、潤滑効果が向上する。
【図面の簡単な説明】
【００１６】
【図１】本発明に係る転がり素子保持具の環状構造を示す概略図。
【図２】図１における環状構造の一部の拡大図。
【図３】図１における環状構造をひっくり返して結合した状態を示す概略図。
【図４】従来の単一保持具の概略図。
【図５】従来の連結保持具の概略図。
【符号の説明】
【００１７】
１０・・・・スライダ
２０・・・・転がり玉
３０・・・・単保持具
３１・・・・連結保持具
３１１・・・離間ブロック
３１２・・・連結チェーン
４０・・・・転がり素子保持具
４１・・・・連接バンド
４２・・・・離間体
４２１・・・係合部
４２２・・・溝
４２３・・・受け部
４２４・・・貫通孔
４３・・・・端部
４４・・・・保持空間
【図１】
2005147166.tif 000003
【図２】
2005147166.tif 000004
【図３】
2005147166.tif 000005
【図４】
2005147166.tif 000006
【図５】
2005147166.tif 000007